(57)【特許請求の範囲】
【請求項１】
締固め機における原動機の気化器へ予め浄化された空気を供給するためのエアクリーナーであって、原動機の回転運動に伴う上下振動を受け易い機体上部にケーシングの底面が設けられており、前記ケーシングは下部に大気と連通する空気導入口を備え、上部に濾過された空気を前記気化器へ送り込むための空気送出し口を備えていて、このケーシング内には目の粗いフィルターが下層、目の細かいフィルターが上層となるように配置されており、空気を下方の空気導入口から導入して前記各フィルター層で塵埃を捕捉したのちの濾過された空気を上方の空気送出し口から気化器へ供給する締固め機のエアクリーナー。
【請求項２】
底面の空気導入口と、上方の空気送出し口を有するケーシング内にフィルターを配置したエアクリーナーが、上下振動を受け易い機体上部に設けられたプレエアクリーナーであって、このプレエアクリーナーにより濾過された空気を気化器のエアクリーナーに供給する請求項１の締固め機のエアクリーナー。
【請求項３】
締固め機がランマーであって、ケーシング底面が原動機の回転運動を上下運動に変える動力伝達機構の上面に設けられていている請求項１又は２の締固め機のエアクリーナー。
【請求項４】
締固め機がプレートコンパクターであって、ケーシング底面が原動機の上方に突設されたフレームによって支持されている請求項１又は２の締固め機のエアクリーナー。
【発明の詳細な説明】
【０００１】
【発明の属する技術分野】
本発明は、路面の締固めにより塵埃が飛散することで、常に汚れた空気条件の
もとで原動機を使用しなければならないランマー、プレートコンパクターなどの締固め機の気化器に対して、予め浄化された空気を供給するためのエアクリーナーに関するものである。
【０００２】
【従来の技術】
従来より、塵埃の舞い上がった比較的汚れた空気のもとで使用されることの多いランマーなどの締固め機では、気化器のエアクリーナーを適切に機能させることが重要な課題となる。そのため従来では、気化器のエアクリーナーの保護対策として、このエアクリーナーによって直接空気を濾過する前の段階で、別のプレエアクリーナーにより予め大粒の塵埃を捕捉しておき、このプレエアクリーナーによって濾過された浄化空気を気化器のエアクリーナーへ供給することが行われている。
【０００３】
従来より知られている気化器のエアクリーナーとしては、例えば、図５に示すように、ケーシング１内にフィルター３を、目の粗いフィルター３ａが上層、目の細かいフィルター３ｂが下層となるように水平に重ねて配置し、ケーシング１の上部に設けた空気導入口２から流入した空気をフィルター３ａ，３ｂを通してケーシング１の下方に設けた空気送出し口４から気化器のエアクリーナー方向へ供給するようにしたものが広く知られている。
【０００４】
また、別のものとしては、図６のように、ケーシング１内のフィルター３を、スポンジ等の目の粗いフィルター３ａが外側、濾紙フィルター等の目の細かいフィルター３ｂが内側となるようにドーナツ状に重ねて配置し、空気導入口２から流入した空気をケーシング１内の目の粗いフィルター３ａの外側から目の細かいフィルター３ｂの内側へ通過するように濾過してから、ケーシング１の下面の送出し口４から気化器のエアクリーナー方向へ供給するようにしたものも広く知られている。
【０００５】
【発明が解決すべき課題】
しかしながら、上記のような従来のエアクリーナーのうち、例えば、図５のエアクリーナーでは、空気導入口２がケーシング１の上部に設けられていると共に、フィルター３は目の粗いフィルター３ａが上層、目の細かいフィルター３ｂが下層となるように水平に重ねて配置されているので、ケーシング１の上部から導入した空気中の大粒の塵埃が、まず、上層の目の粗いフィルター３ａで捕捉されることにより、一時的にフィルターとしての機能が発揮されるが、やがて、この目の粗いフィルター３ａで捕捉される塵埃の量が積もり重なってフィルター３ａの表面を塞いでしまう形となり、フィルターとしての機能を長時間継続させることができないという問題を有している。
【０００６】
また、図６に示すエアクリーナーでは、スポンジ等の目の粗いフィルター３ａが垂直な壁状に配置されているので、ケーシング１内に導入された空気中の塵埃は、まず外側の目の粗いフィルター３ａの壁面に捕捉されて、内側方向へ吸い込まれる力を受ける。そのためフィルター３ａの表面に付着した塵埃の一部は、フィルター３の下方へは落下せずに、時間の経過に伴ってフィルターの表面に付着したまま壁状に固まって、表面を塞いでしまうことになり、ある時期にフィルターとしての機能が急速に低下するという問題を有している。
【０００７】
従来のエアクリーナーは、上記のような問題点の外に、特にランマーのように激しい振動を発生させる締固め機特有の問題点として、上層や外側の目の粗いフィルター３ａの表面に付着した塵埃が、締固め機特有の振動によって揺さぶられることによって、次第に目の粗いフィルター３ａの層の内部へ食い込んで行き、フィルターの掃除の際に塵埃をきれいに除去できないという問題や、フィルターの耐久性を阻害するという問題点を有している。
【０００８】
さらに、前記の従来形のエアクリーナーでは、フィルターで濾過された空気を気化器へ送り込むための送出し口が、ケーシングの下面に設けられているために、フィルターの掃除の際に、フィルターに付着した塵埃が下方へ落下して、送出し口から気化器のエアクリーナー方向へ吸い込まれて、エンジンの不調原因となるという問題を有している。
【０００９】
【課題を解決するための手段】
本発明は、上記のような従来における締固め機におけるエアクリーナーの問題点に鑑み、ケーシングの下部から導入した空気を、目の粗い下層フィルター内から目の細かい上層フィルター内を通るように濾過させたのち、ケーシング内の上方から気化器のエアクリーナー方向へ流れるようにして、ケーシングの下部から導入された空気中の塵埃が下層の目の粗いフィルターで捕捉された際に、フィルターの下面に付着固定することなく機体の振動によってケーシング内下方へ落下し、フィルターの目詰まりを未然に防止できると共に、フィルターの保守点検の際の着脱が容易に行えるようなエアクリーナーの提供を目的としたものである。
【００１０】
本発明に係るエアクリーナー装置は、締固め機における原動機の気化器へ予め浄化された空気を供給するための具体的手段として、原動機の回転運動に伴う上下振動を受け易い機体上部にケーシングの底面を設け、この底面上に設けられるケーシングは下部に大気と連通する空気導入口を備え、上部に濾過された空気を前記気化器へ送り込むための空気送出し口を備えていて、このケーシング内には目の粗いフィルターが下層、目の細かいフィルターが上層となるように配置されており、空気を下方の空気導入口から導入して前記各フィルター層で塵埃を捕捉したのちの濾過された空気を上方の空気送出し口から気化器へ供給することを特徴とする。
【００１１】
前記のように、底面の空気導入口と、上方の空気送出し口を有するケーシング内にフィルターを配置したエアクリーナーは、これを上下振動を受け易い機体上部に設けられたプレエアクリーナーとして使用し、このプレエアクリーナーにより濾過された空気を気化器のエアクリーナーに供給することが好ましい。
【００１２】
また、締固め機がランマーである場合には、原動機の回転運動を上下運動に変える動力伝達機構の上面を、ケーシング底面により形成して、このケーシング底面上にケーシングを設けられるようにすることが好ましい。
【００１３】
締固め機がプレートコンパクターである場合には、原動機の上方に突設されたフレームによってケーシング底面を支持して、このケーシング底面上にケーシングが設けられるようにすればよい。
【００１４】
【作用】
原動機が始動されてケーシング内に負圧が生ずると、塵埃を含んだ空気が空気導入口からケーシング底面内に導入され、目の粗いフィルターに吸い込まれる。目の粗いフィルターと目の細かいフィルターにより塵埃の捕捉された空気は、両フィルターの上方へ送り出されたのち、ケーシング内の上部後方の空気送出し口から接続管を通して気化器の方向へ送り出される。ケーシング内に導入された空気は、下層の目の粗いフィルターにより粒子の大きな塵埃が捕捉されるが、ケーシング全体が振動しているために目の粗いフィルターで捕捉された塵埃はフィルター内から下方のケーシング底面上へ振るい落とされて蓄積し、ついで空気導入口から機外へ排出される。
【００１５】
ケーシング内の上層の目の細かいフィルターで捕捉された塵埃も、振動により下方の目の粗いフィルターの方向へ振るい落とされ、下層のフィルター内に落とされた塵埃は前記と同様に下方のケーシング底面上へ振るい落とされる。その結果、両フィルターにより捕捉された塵埃はいつまでもフィルター内に滞留することがなく、積極的に捕捉した塵埃が下方へ落下させて機外へ排出されて、目詰まりに達するまでの時間を大幅に延長し、クリーンな空気を気化器に供給する。
【００１６】
【発明の実施の形態】
次に、本発明に係る締固め機のエアクリーナーの構成を、ランマーに設けられたプレエアクリーナーとして実施した例により説明すると、このプレエアクリーナー１１は、図４に示すように、ランマー１２の原動機１３の回転運動を上下運動に変換する動力伝達機構１４の上部に設けられており、この動力伝達機構１４の側面に設けられた空気導入口１５から吸入された塵芥を含む空気が、プレエアクリーナー１１内で濾過されたのち、接続管１６を通って前記原動機１３の気化器エアクリーナー１７へ送られるように構成されている。
【００１７】
図３に示すように、プレエアクリーナー１１が設けられる動力伝達機構１４の上面は、プレエアクリーナーのケーシング２１が嵌合されるためのケーシング底面２２により兼用されていると共に、動力伝達機構１４の両側から斜め上方に向けて左右一対の接続アーム１８が突設されていて、これらの接続アーム１８の先端が防振ゴム１９を介して機体上部の操作ハンドル２０に接続されている。
【００１８】
動力伝達機構４の上面のケーシング底面２２は、外周縁２２ａよりも一段低く凹設されていて、底面中央部には外周縁２２ａと同じ高さをもったフィルターの中央支持盤２３が突設されている。さらに、前記動力伝達機構１４の側面から斜め上方に向けて突設された接続アーム１８のうちの片方の接続アーム１８には空気導入口１５が設けられていて、この空気導入口１５から前記底面２２の上方に向けて流路２４が導通されている。
【００１９】
前記底面外周縁２２ａおよび中央支持盤２３の上には、ウレタンフォームなどを素材とする目の粗いフィルター２５が下層に配置され、その上に目の細かいフィルター２６が上層に配置されている。ケーシング底面２２は外周縁２２ａおよび中央支持盤２３よりも一段低く設定されているので、空気が導入口１５から流路２４を通して流入すると、空気はケーシング底面２２と目の粗いフィルター２５の下面との間の空間２２ｂを通してフィルター２５の下面へ平均にムラなく接触して吸入される。
【００２０】
ケーシング２１は、内側に前記フィルター２５，２６を収納できる大きさの空間を備え、ケース底面外周縁２２ａの上に載置される左右の側壁２７と、前壁２８および後壁２９とからなっていて、この後壁２９に前記気化器エアクリーナー１７へ通ずる接続管１６と接続される空気送出し口３１が設けられている。
【００２１】
また、ケーシング２１の上面３０の内側には、前記フィルター２５，２６の中央部を貫通して下端が底面中央支持盤２３に接する長さの固定柱３２が突設されていて、この固定柱３２内には上端に締め具３３を有し、下端が底面中央支持盤２３のネジ孔３５に達する長さのネジ３４が挿通されて、締め具３３を締め付け方向へ回転することで、ネジ３４の下端が中央支持盤２３のネジ孔３５に螺着され、フィルター２５，２６が底面外周縁２２ａおよび中央支持盤２３の上に支ええられた状態でケーシング２１が底面２２上に固定されるようになっている。
【００２２】
図７は、本発明のエアクリーナーを、プレートコンパクター４２におけるプレエアクリーナーとして実施した場合の構成を示している。この実施例のプレエアクリーナー４１も、ケーシング４３及びケーシング底面４４とからなっていて、ケーシング４３内には、図を省略したが、目の粗いフィルターが下層に配置され、その上に目の細かいフィルターが上層に配置されている構成は前記の実施例の場合と同じである。
【００２３】
この実施例の場合は、原動機４５の回転運動に伴う上下振動を受け易い機体上部として、原動機４５の架台４６に、原動機４５の上方へ突出するようなフレーム４７を設けて、このフレーム４７の上部に前記ケーシング底面４４が支持されるようになっている。このケーシング底面４４の側面には、空気の導入口４８が設けられていて、空気をケーシング底面４４の空気導入口４８から内部に吸い込んでケーシング４３の上方の空気送送出し口４９から接続管５０を介して気化器エアクリーナー５１の方向へ供給されるようになっている。
【００２４】
なお、上記の二つの実施例は、本発明をいずれもプレエアクリーナーとして使用し場合について述べたが、本発明はプレエアクリーナーだけでなく、気化器に直接接続して使用する本来のエアクリーナーとして使用することもできる。
【００２５】
【発明の効果】
この発明のエアクリーナーでは、動力伝達機構の上面を底面とするケーシング内の下部に空気導入口を設けると共に、ケーシング内の上部に気化器エアクリーナーに接続する空気送出し口を設けて、ケーシング内に目の粗いフィルターを下層、目の細かいフィルターを上層となるように配置したので、ケーシング底面内に導入された空気は、ケーシング内を下方から上方へ流れて、まず下層の目の粗いフィルターの下面に吸着接触するが、その空気中に含まれる粒子の大きい塵埃は、その大半が目の粗いフィルター下面に接触した際に、動力伝達機構の激しい上下振動を受けてフィルター下面に付着せず、ケーシング底面上に振るい落とされることになる。
【００２６】
また、仮にフィルターの粗い目の中に一部の粒子が食い込んだとしても、その粒子は機体の上下振動によってフィルター内の上方へ移動するようなことはなく、繰り返し生ずる振動によって下方へく振り落とされるので、従来のこの種の装置のフィルターのように、フィルター中に食い込んだ粒子が負圧力によって一方的に気化器方向へ吸引移動してフィルター内に固定しまうという問題を解消し、下層フィルターの目詰まり発生率を従来のこの種の装置に比較して大幅に抑制することができる。
【００２７】
ケーシング内のフィルターを掃除する場合は、ケーシングの上面に設けられている締め具３３を緩める方向へ回転して、ネジ３４を底面２２の中央支持盤２３から外せば、ケーシングを取り外せるので、フィルターの清掃を簡単に行えるという利点を有するが、本発明では、前述のように、下層の目の粗いフィルターに付着した塵埃が、機体の振動によりフィルター内に深く侵入することがないので、フィルター自体の清掃が著しく簡単に行えると共に、底面２２に溜まった塵埃を取り除くだけでよいのでケーシングの清掃作業が簡単であるという利点を有する。
【００２８】
さらに、このプレエアクリーナーでは、空気をケーシングの下部から上部へ流してフィルターにより濾過するので、清掃に際し、ケーシングを外してからフィルターを取り外した時には、フィルター内に詰まっていた大半の塵埃がケーシング底面上に落下することになり、もとより、この底面上に落下した塵埃は上方の接続管１６を通して気化器エアクリーナー１７の方向へ流入することがないので、プレエアクリーナーから気化器エアクリーナーの方向へ流れようとする塵埃を確実に遮断することができる。
【００２９】
また、このプレエアクリーナーでは、空気導入口が下方に設けられているために、雨水や清掃時の洗浄水が内部に侵入せず、仮に空気導入口から洗浄水の一部が侵入したとしても、機体を倒したままの状態としないかぎり、水は自動的に排出されるので、フィルターが洗浄水により浸されたり、ケーシング内に水が溜まるようなことがなく、水によるトラブルを防止して原動機の回転を常に最高の調子に維持できるという効果を有する。
【図面の簡単な説明】
【図１】本発明に係るエアクリーナーの構成を機体の正面方向から見た断面図。
【図２】同じくこのエアクリーナーの構成を機体の側面方向から見た断面図。
【図３】本発明のエアクリーナーをランマーのプレエアクリーナーとして実施した場合における機体とケーシングとの構成を示す斜視図。
【図４】図３のプレエアクリーナーのランマーに設けられる位置関係を示す斜視図。
【図５】従来におけるエアクリーナーの構成を示す断面図。
【図６】同じく従来における別のエアクリーナーの構成を示す断面図。
【図７】本発明のエアクリーナーをプレートコンパクターのプレエアクリーナーとして実施した場合の機体側面図。
【符号の説明】
１１，４１：プレエアクリーナー
１２：ランマー
１３，４５：原動機
１４：動力伝達機構
１５，４８：空気導入口
１６，５０：接続管
１７，５１：気化器エアクリーナー
１８：接続アーム
１９：防振ゴム
２０：操作ハンドル
２１，４３：ケーシング
２２，４４：ケーシング底面
２３：中央支持盤
２４：流路
２５：目の粗いフィルター
２６：目の細かいフィルター
２７：ケーシング側壁
２８：ケーシング前壁
２９：ケーシング後壁
３０：ケーシング上面
３１，４９：空気送出し口
３２：固定柱
３３：締め具
３４：ネジ
３５：ネジ孔
４２：プレートコンパクター
４６：架台
４７：フレーム
【図１】
0003768814.tif 000002
【図２】
0003768814.tif 000003
【図３】
0003768814.tif 000004
【図４】
0003768814.tif 000005
【図５】
0003768814.tif 000006
【図６】
0003768814.tif 000007
【図７】
0003768814.tif 000008